(57)【要約】【課題】電源を要することなく空気を収納家具用の薬剤に効率的に接触させて消臭等を促進できる収納家具を提供する。【解決手段】収納家具であるシューズボックス１００は、収納空間内に靴等の収納物を出し入れするときに開閉される扉１を備えている。上記扉１の裏面には、収納家具用の薬剤３を収容することができる薬剤収容部２が上記開口部１ａを塞ぐように取り付けられている。上記薬剤収容部２は、空気を通すための通気部を有しており、この通気部および上記開口部１ａを通じて、上記収納空間内から外部への空気の出と外部から上記収納空間内への空気の入りが生じる。【選択図】図１
2016154592.tif 000002
【特許請求の範囲】
【請求項１】
収納空間内に収納物を出し入れするときに移動される可動部を備える収納家具において、上記収納空間内と外部とを連通させる開口部と、上記開口部を通気可能に塞いで設けられ、収納家具用の薬剤を収容することができる薬剤収容部と、を備えていることを特徴とする収納家具。
【請求項２】
請求項１に記載の収納家具において、上記開口部は上記可動部に設けられていることを特徴とする収納家具。
【請求項３】
請求項１に記載の収納家具において、上記開口部は上記可動部以外の非可動部に設けられていることを特徴とする収納家具。
【請求項４】
請求項１〜請求項３のいずれか１項に記載の収納家具において、上記開口部に、外部から上記収納空間内への空気の移動を遮断し、上記収納空間内から外部への空気の移動を許容する弁部を備えることを特徴とする収納家具。
【請求項５】
請求項１〜請求項３のいずれか１項に記載の収納家具において、上記開口部に、外部から上記収納空間内への空気の移動を許容し、上記収納空間内から外部への空気の移動を遮断する弁部を備えることを特徴とする収納家具。
【発明の詳細な説明】
【技術分野】
【０００１】
この発明は、シューズボックスやクローゼット等の収納家具に関する。
【背景技術】
【０００２】
特許文献１には、ボックス本体の内部空間を、上下方向に空気を疎通させるための空気通路を残して通気性の中仕切り板によって上下多段の収納室に区画するとともに、ボックス本体の内部に、酸化チタン光触媒部材と、酸化チタン光触媒部材を励起する紫外線光源と、殺菌灯であるＵＶランプと、消臭剤である活性炭とを配設し、空気通路に送風ファンを設置してボックス本体内部の空気を空気通路と通気性の中仕切り板とを介して強制循環させる収納ボックスが開示されている。
【先行技術文献】
【特許文献】
【０００３】
【特許文献１】特開２００４−２７５７５８号公報
【発明の概要】
【発明が解決しようとする課題】
【０００４】
しかしながら、上記収納ボックスでは、紫外線光源や送風ファンを備えるため、これらを駆動する電源が必要になり、高額化する欠点がある。また、シューズボックス等に消臭剤などの薬剤を単に置くことでも靴等の臭いを取り除くことが可能であるが、このように薬剤を単に置くのでは、上記薬剤に効率的に空気を接触させて消臭することはできない。
【０００５】
この発明は、上記の事情に鑑み、電源を要することなく空気を収納家具用の薬剤に効率的に接触させて消臭等を促進できる収納家具を提供することを課題とする。
【課題を解決するための手段】
【０００６】
この発明の収納家具は、上記の課題を解決するために、収納空間内に収納物を出し入れするときに移動される可動部を備える収納家具において、上記収納空間内と外部とを連通させる開口部と、上記開口部を通気可能に塞いで設けられ、収納家具用の薬剤を収容することができる薬剤収容部と、を備えていることを特徴とする。
【０００７】
上記の構成であれば、収納物を出し入れするときの上記可動部の移動により生じる収納空間内と外部との間の気圧差により、上記開口部を通じて上記収納空間内と外部との間で空気の出入りが生じ、この出入りする空気が上記薬剤収容部内の上記薬剤に接触することになる。これにより、電源を要することなく空気を上記薬剤に効率的に接触させて消臭等を促進できる。
【０００８】
上記開口部は上記可動部に設けられていてもよい。これによれば、上記可動部とともに移動する上記薬剤収容部の移動によって、上記薬剤への効率的な空気接触が生じることになる。或いは、上記開口部は上記可動部以外の非可動部に設けられていてもよく、この場合は、可動部については開口部の無いこれまで通りのデザインとすることができる。
【０００９】
上記開口部に、外部から上記収納空間内への空気の移動を遮断し、上記収納空間内から外部への空気の移動を許容する弁部を備えてもよい。或いは、上記開口部に、外部から上記収納空間内への空気の移動を許容し、上記収納空間内から外部への空気の移動を遮断する弁部を備えてもよい。
【発明の効果】
【００１０】
本発明であれば、電源を要することなく空気を収納家具用の薬剤に効率的に接触させて消臭等を促進できるという効果を奏する。
【図面の簡単な説明】
【００１１】
【図１】本発明の実施形態を示す図であって、扉を備えるシューズボックスを示した概略の斜視図である。
【図２】図１の収納家具の扉を拡大して示す図であって、同図（Ａ）は扉に形成された開口部を通じて空気の入りが生じる様子を示し、同図（Ｂ）は扉に形成された開口部を通じて空気の出が生じる様子を示した説明図である。
【図３】図１の収納家具の扉の開口部に弁部が備えられた実施形態を示した図であって、同図（Ａ）は開口部を通じた空気の入りが遮断される様子を示し、同図（Ｂ）は開口部を通じて空気の出が生じる様子を示した説明図である。
【図４】図１の収納家具の扉の開口部に弁部が備えられた実施形態を示した図であって、同図（Ａ）は開口部を通じた空気の出が遮断される様子を示し、同図（Ｂ）は開口部を通じて空気の入りが生じる様子を示した説明図である。
【図５】本発明の他の実施形態を示す図であって、可動部として折り戸を備えるシューズボックスの概略を示した平面図である。
【発明を実施するための形態】
【００１２】
図１に示すように、この実施形態では、収容家具としてシューズボックス１００を例示している。また、収納物である靴等を出し入れするときに移動される収容家具の可動部として、扉１を例示している。上記扉１は、ボックス本体の前面側の左右端に設けられた図示しないヒンジ（蝶番）に支持され、縦軸回りに回動して観音開きで開閉する。上記縦軸（ヒンジ）から最も遠くに位置する上記扉１の端部は、上記扉１の開閉による移動の距離が最も長い箇所となる。
【００１３】
各扉１の表面側であって、上記縦軸（ヒンジ）から遠い端部の近傍に把手１１が設けられている。上記把手１１は上側からまたは下側から手を差し入れることができるタイプであるが、横から手を差し入れることができるタイプ等であってもよい。
【００１４】
そして、上記２枚の扉１のうちの一方の扉１には、シューズボックス１００の収納空間内から外部に通じる開口部１ａが形成されている。また、上記開口部１ａを覆うようにガラリ部材４が設けられており、上記開口部１ａを通じた空気の出入りを妨げることなく、収納空間内が直に見えてしまうのを防止できる。
【００１５】
上記扉１の裏面には、収納家具用の薬剤３を収容することができる薬剤収容部２が上記開口部１ａを塞ぐように取り付けられている。上記薬剤収容部２の取り付けには、接着剤、螺子、面ファスナー等が用いられる。上記薬剤３としては、芳香剤、消臭剤、脱臭剤、防虫剤等がある。また、その形態としては、ビーズ状、ブロック状、袋詰め状、通気性の箱入り状等がある。
【００１６】
上記薬剤収容部２は、空気を通すための通気部（単一開口、複数スリット、複数パンチ孔、メッシュ等）を有する。この通気部および上記開口部１ａを通じて、上記シューズボックス１００の収納空間内から外部への空気の出と外部から上記収納空間内への空気の入りが生じるようになっている。
【００１７】
図２（Ａ）に示すように、上記開口部１ａが形成されていない側の扉１が開かれる方向に移動されるとき、上記収納空間内の空気が扉１、１間の隙間から外部に出てくる。このとき、上記収納空間内は陰圧になり、外部の空気が、上記開口部１ａを通り、上記薬剤収容部２内の上記薬剤３に接触して上記収納空間内に入り込む。上記薬剤３が芳香剤であれば、上記収納空間内に芳香剤の香りが広がることになる。
【００１８】
また、図２（Ｂ）に示すように、上記開口部１ａが形成されていない側の扉１が閉じられる方向に移動されるとき、外部の空気が上記扉１、１間の隙間から上記収納空間内へと入る。このとき、上記収納空間内は陽圧になり、この収納空間内の空気が上記薬剤収容部２内の上記薬剤３に接触し、上記開口部１ａを通り、外部に出る。上記薬剤３が芳香剤であれば、上記シューズボックス１００の周囲に芳香剤の香りが広がることになる。
【００１９】
上記の構成であれば、上記収納空間内に収納物を出し入れするときの上記扉１の移動により生じる上記収納空間内と外部との気圧差により、上記開口部１ａを通じて上記収納空間内と外部との間で空気の出入りが生じ、この出入りする空気が上記薬剤収容部２内の上記薬剤３に接触する。これにより、電源を要することなく空気を上記薬剤３に効率的に接触させて消臭等を促進できることになる。
【００２０】
なお、上記開口部１ａが形成されている扉１が開閉移動されるときには、上記薬剤収容部２自体の移動による上記薬剤３への効率的な空気接触が生じ、上記薬剤３が例えば芳香剤であれば、上記シューズボックス１００の周囲に芳香剤の香りが広がることになる。
【００２１】
また、上記シューズボックス１００が集合住宅等で壁に埋め込まれて作り付けされている場合においては、上記扉１に上記開口部１ａおよび上記薬剤収容部２を設ける構成となる。もちろん、上記扉１以外の例えば側面壁等に上記開口部１ａを設けることができる場合、上記扉１以外の箇所に上記開口部１ａを設けてもよいものであり、この場合は、扉１についてはこれまで通りのデザインを維持できる利点がある。
【００２２】
図３（Ａ）および図３（Ｂ）に示すように、上記開口部１ａに、外部から上記収納空間内への空気の移動を遮断し、上記収納空間内から外部への空気の移動を許容する弁部５を備えてもよい。この弁部５は、例えば、複数の水平軸に回動可能に支持された各フラップが自重で垂下して外部から上記収納空間内への空気の移動を遮断し、上記収納空間内から外部への空気の移動による風圧で各フラップが回動して空気の移動を許容する構造を有する。このような構成においては、例えば、上記薬剤３が脱臭剤や消臭剤であるとき、上記脱臭剤等に外部の空気が接触する機会は無くなる。一方、上記収納空間内の臭気を含む空気が上記開口部１ａを通って外部に出るときには、上記脱臭剤等に接触する機会を得て脱臭や消臭が行われることになる。
【００２３】
一方、図４（Ａ）および図４（Ｂ）に示すように、上記開口部１ａに、外部から上記収納空間内への空気の移動を許容し、上記収納空間内から外部への空気の移動を遮断する弁部６を備えてもよい。この弁部６は、例えば、複数の水平軸に回動可能に支持された各フラップが自重で垂下して上記収納空間内から外部への空気の移動を遮断し、外部から上記収納空間内への空気の移動による風圧で各フラップが回動して空気の移動を許容する構造を有する。このような構成においては、例えば、上記収納空間内の臭気を含む空気が上記開口部１ａを通って外部に出ずに、上記薬剤３に接触するような内部気流が生じることになる。また、外部の空気が上記薬剤３に接触する機会が得られるので、上記薬剤３が芳香剤であれば、上記収納空間内には芳香剤の香りが広がることになる。
【００２４】
収納家具の可動部として上記扉１を例示したが、これに限らず、図５に示すような折り戸１Ａとすることもでき、この折り戸１Ａに、外部に通じる開口部１ａを形成しておき、収納家具用の薬剤が収容される薬剤収容部２を、上記開口部１ａを塞ぐように取り付けるようにしてもよい。
【００２５】
また、収納家具は、上記シューズボックス１００に限らず、衣類等を収納する衣類収納家具等でもよい。この衣類収納家具用の薬剤として防虫剤が用いられる場合、上記収納空間内から外部への空気の移動を遮断することができる上記弁部６を備えるのがよい。これによれば、外部の空気が上記衣類収納家具の内部に入るときに防虫剤の成分が広がる一方、上記収納空間内の防虫剤の成分が外部に出るのを抑制することができる。
【００２６】
また、収納家具の移動部は引出しであってもよく、この引出しの移動によっても上記収納空間内と外部との間の気圧差による気流が生じる。また、上記薬剤収容部２は、収納家具の可動部の裏面に限らず、表面に設けてもよいものである。また、上記薬剤収容部２は、収納家具の可動部の厚みを利用して全部または一部が内蔵されるようにしてもよく、これによれば、収納空間側への上記薬剤収容部２の出っ張り量を少なくすることができる。また、上記弁部５、６は、上記フラップを１枚設ける単板構造や他の構造でもよいものである。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２８】
１      扉（可動部）
１Ａ    折り戸（可動部）
１ａ    開口部
１１    把手
１００  シューズボックス（収納家具）
２      薬剤収容部
３      薬剤
【図１】
2016154592.tif 000003
【図２】
2016154592.tif 000004
【図３】
2016154592.tif 000005
【図４】
2016154592.tif 000006
【図５】
2016154592.tif 000007